【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
発光装置を発光させた撮影が可能な撮像装置であって、
複数の測光領域を有し、当該複数の測光領域それぞれの測光値を取得する測光手段と、
被写体距離に関する情報を取得する取得手段と、
前記複数の測光領域に対する重み付け係数を決定する決定手段と、
前記決定手段により決定された重み付け係数にしたがって前記複数の測光領域それぞれの測光値に対して重み付けを行い、前記発光装置の本発光量を演算する演算手段と、を有し、
前記決定手段は、前記取得手段により前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする撮像装置。
【請求項２】
前記決定手段は、前記複数の測光領域のうち、前記発光装置をプリ発光させて得られた測光値に基づく値が所定値以下の領域の中から前記基準領域を決定するものであって、前記発光装置をプリ発光させて得られた前記複数の測光領域それぞれの測光値に基づいて前記所定値を変更することを特徴とする請求項１に記載の撮像装置。
【請求項３】
前記決定手段は、前記複数の測光領域の中の、前記所定値よりも前記発光装置をプリ発光させて得られた測光値に基づく値のほうが大きい領域の数が所定数より多い場合、当該所定数以下の場合よりも前記所定値を大きくすることを特徴とする請求項２に記載の撮像装置。
【請求項４】
前記決定手段は、前記発光装置をプリ発光させて得られた前記複数の測光領域それぞれの測光値に基づく値のうち、大きいほうから所定個数の平均値が前記所定値に基づく閾値よりも大きい場合、当該閾値以下の場合よりも前記所定値を大きくすることを特徴とする請求項２に記載の撮像装置。
【請求項５】
前記測光値に基づく値は、前記発光装置をプリ発光させて得られた測光値と前記発光装置を発光させずに得られた測光値との差分に基づく値であることを特徴とする請求項２ないし４のいずれか１項に記載の撮像装置。
【請求項６】
前記所定値の初期値は、前記取得手段により前記情報を取得できる場合、当該情報に基づいて設定され、前記取得手段により前記情報を取得できない場合、前記撮像装置の焦点距離に基づいて設定されることを特徴とする請求項２ないし５のいずれか１項に記載の撮像装置。
【請求項７】
前記決定手段は、前記取得手段により前記情報を取得できる場合、前記所定値を前記発光装置をプリ発光させて得られた前記複数の測光領域それぞれの測光値に基づいて設定しないことを特徴とする請求項２ないし６のいずれか１項に記載の撮像装置。
【請求項８】
複数の測光領域を有し、当該複数の測光領域それぞれの測光値を取得する測光手段を備え、発光装置を発光させた撮影が可能な撮像装置の制御方法であって、
被写体距離に関する情報を取得する取得ステップと、
前記複数の測光領域に対する重み付け係数を決定する決定ステップと、
前記決定ステップで決定された重み付け係数にしたがって前記複数の測光領域それぞれの測光値に対して重み付けを行い、前記発光装置の本発光量を演算する演算ステップと、
を有し、
前記決定ステップは、前記取得ステップで前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする撮像装置の制御方法。
【請求項９】
複数の測光領域を有する測光手段から、当該複数の測光領域それぞれの測光値を取得する測光値取得手段と、
被写体距離に関する情報を取得する情報取得手段と、
前記複数の測光領域に対する重み付け係数を決定する決定手段と、
前記決定手段により決定された重み付け係数にしたがって前記複数の測光領域それぞれの測光値に対して重み付けを行い、本発光量を演算する演算手段と、を有し、
前記決定手段は、前記情報取得手段により前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする発光装置。
【請求項１０】
複数の測光領域を有する測光手段から、当該複数の測光領域それぞれの測光値を取得する測光値取得ステップと、
被写体距離に関する情報を取得する情報取得ステップと、
前記複数の測光領域に対する重み付け係数を決定する決定ステップと、
前記決定ステップで決定された重み付け係数にしたがって前記複数の測光領域それぞれの測光値に対して重み付けを行い、本発光量を演算する演算ステップと、を有し、
前記決定ステップは、前記取得ステップで前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする発光量演算方法。
【手続補正２】
【補正対象書類名】明細書
【補正対象項目名】発明の名称
【補正方法】変更
【補正の内容】
【発明の名称】撮像装置及びその制御方法、発光装置、発光量演算方法
【手続補正３】
【補正対象書類名】明細書
【補正対象項目名】０００１
【補正方法】変更
【補正の内容】
【０００１】
本発明は、発光装置を発光させた撮影が可能な撮像装置、その制御方法、発光装置、発光量演算方法に関するものである。
【手続補正４】
【補正対象書類名】明細書
【補正対象項目名】０００８
【補正方法】変更
【補正の内容】
【０００８】
本発明に係わる撮像装置は、発光装置を発光させた撮影が可能な撮像装置であって、複数の測光領域を有し、当該複数の測光領域それぞれの測光値を取得する測光手段と、被写体距離に関する情報を取得する取得手段と、前記複数の測光領域に対する重み付け係数を決定する決定手段と、前記決定手段により決定された重み付け係数にしたがって前記複数の測光領域それぞれの測光値に対して重み付けを行い、前記発光装置の本発光量を演算する演算手段と、を有し、前記決定手段は、前記取得手段により前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする。
【手続補正５】
【補正対象書類名】明細書
【補正対象項目名】０００９
【補正方法】変更
【補正の内容】
【０００９】
また、本発明に係わる撮像装置の制御方法は、複数の測光領域を有し、当該複数の測光領域それぞれの測光値を取得する測光手段を備え、発光装置を発光させた撮影が可能な撮像装置の制御方法であって、被写体距離に関する情報を取得する取得ステップと、前記複数の測光領域に対する重み付け係数を決定する決定ステップと、前記決定ステップで決定された重み付け係数にしたがって前記複数の測光領域それぞれの測光値に対して重み付けを行い、前記発光装置の本発光量を演算する演算ステップと、を有し、前記決定ステップは、前記取得ステップで前記情報を取得できない場合、前記複数の測光領域の中から前記重み付け係数を決定する際の基準領域を決定するための条件を、前記発光装置をプリ発光させて得られた前記複数の測光領域それぞれの測光値に基づいて設定することを特徴とする。